(57)【要約】      （修正有）【課題】印刷完了時に余分なカット紙を給紙経路に残すことなく連続給紙できるプリンターの製造コストを低減する。【解決手段】積載部から画像形成部にカット紙を搬送経路に沿って搬送する搬送部と，ｎ枚（ｎ≧２）のカット紙に画像を印刷するジョブを実行するとき，ｎ−ｋ（ｋ≦１，２，・・・ｎ−１）枚目のカット紙が前記搬送経路の所定位置に到達するまで，先行のカット紙に対する印刷が完了する前に後続のカット紙を前記積載部から前記搬送部によって搬送させ，ｎ−ｋ枚目のカット紙が前記搬送経路の所定位置まで到達すると，先行のカット紙に対する印刷が完了するまで前記搬送部による後続のカット紙の搬送を停止させ，ｎ−ｋ枚目のカット紙の印刷が完了すると，前記搬送部によるｎ枚目までのカット紙の前記画像形成部までの搬送と、前記画像形成部による印刷とを、１枚ごとに実行することによって前記ジョブを完了させる制御部と，を備えるプリンター。【選択図】図１
2012148842.tif 000002
【特許請求の範囲】
【請求項１】
カット紙を搬送しながら前記カット紙に画像を印刷する画像形成部と，
カット紙を積載する積載部と，
前記積載部から前記画像形成部にカット紙を搬送経路に沿って搬送する搬送部と，
ｎ枚（ｎ≧２）のカット紙に画像を印刷するジョブを実行するとき，ｎ−ｋ（ｋ≦１，２，・・・ｎ−１）枚目のカット紙が前記搬送経路の所定位置に到達するまで，先行のカット紙に対する印刷が完了する前に後続のカット紙を前記積載部から前記搬送部によって搬送させ，ｎ−ｋ枚目のカット紙が前記搬送経路の所定位置まで到達すると，先行のカット紙に対する印刷が完了するまで前記搬送部による後続のカット紙の搬送を停止させ，ｎ−ｋ枚目のカット紙の印刷が完了すると，前記搬送部によるｎ枚目までのカット紙の前記画像形成部までの搬送と、前記画像形成部による印刷とを、１枚ごとに実行することによって前記ジョブを完了させる制御部と，
を備えるプリンター。
【請求項２】
前記所定位置においてカット紙の先端を検出するセンサーを備え，
前記制御部は前記所定位置においてｎ−ｋ枚目のカット紙の先端が検出された時点でｎ−ｋ枚目のカット紙の印刷が完了するまで前記搬送部によるカット紙の搬送を停止させる，
請求項１に記載のプリンター。
【請求項３】
前記画像形成部内においてカット紙の先端を検出するセンサーを備え，
前記制御部は前記センサーがｎ−１枚目のカット紙の先端を検出してから所定距離だけｎ枚目のカット紙が搬送された時点でｎ−１枚目のカット紙の印刷が完了するまで前記搬送部によるｎ枚目のカット紙の搬送を停止させる，
請求項１に記載のプリンター。
【請求項４】
カット紙を搬送しながら前記カット紙に画像を印刷する画像形成部と，カット紙を積載する積載部と，前記積載部から前記画像形成部にカット紙を搬送経路に沿って搬送する搬送部とを備えるプリンターにおける給紙方法であって、
ｎ枚（ｎ≧２）のカット紙に画像を印刷するジョブを実行するとき，ｎ−ｋ（ｋ≦１，２，・・・ｎ−１）枚目のカット紙が前記搬送経路の所定位置に到達するまで，先行のカット紙に対する印刷が完了する前に後続のカット紙を前記積載部から前記搬送部によって搬送させ，ｎ−ｋ枚目のカット紙が前記搬送経路の所定位置まで到達すると，先行のカット紙に対する印刷が完了するまで前記搬送部による後続のカット紙の搬送を停止させ，ｎ−ｋ枚目のカット紙の印刷が完了すると，前記搬送部によるｎ枚目までのカット紙の前記画像形成部までの搬送と、前記画像形成部による印刷とを、１枚ごとに実行することによって前記ジョブを完了させる，
給紙方法。
【発明の詳細な説明】
【技術分野】
【０００１】
本発明は，プリンターおよび給紙方法に関し，特にカット紙の連続給紙に関する。
【背景技術】
【０００２】
従来，インク等の色剤を定着させるカット紙上の副走査方向の位置を変えるためにカット紙を副走査方向に搬送するための副走査ローラーと，給紙カセット等の積載部から副走査ローラーまでカット紙を搬送するための給紙ローラーとを備えたプリンターが知られている。副走査ローラーは色材の定着位置よりも上流側と下流側とにそれぞれ設けられる。給紙ローラーは給紙カセットの上方に設けられ上流側の副走査ローラーまでカット紙を搬送する。上流側の副走査ローラーにカット紙が到達すると下流側の副走査ローラーによってカット紙が排紙されるまで給紙ローラーを回転させる電動機は停止される。
【０００３】
特許文献１には，副走査ローラーが回転している期間中も給紙ローラーを駆動して副走査ローラーによって搬送されるカット紙に次のカット紙を追従させる技術が開示されている。これにより，下流側の副走査ローラーによってカット紙が排紙されてから色材を定着させる位置まで次のカット紙を搬送する距離を短縮できるため，複数ページを印刷するのに要する時間を短縮することができる。このように１ページの印刷中に次ページのカット紙を給紙することを連続給紙という。
【先行技術文献】
【特許文献】
【０００４】
【特許文献１】特開２００８−４４３１３号公報
【発明の概要】
【発明が解決しようとする課題】
【０００５】
ところで，最終ページを印刷しているときに次のカット紙まで給紙ローラーで搬送してしまうと，最終ページの印刷完了時にカット紙が給紙経路に残ることになる。印刷完了時にカット紙が給紙経路に残らないようにするためには，最終ページの印刷完了前に連続給紙を停止させなければならない。しかし，余分なカット紙が給紙ローラーによって搬送される直前に連続給紙を停止するタイミングを計るためには，連続給紙を停止すべきタイミングにおいて最終ページのカット紙の先端が到達している位置にカット紙の先端を検出するセンサーが必要になる。通常，プリンターにはカット紙の先端の位置を検出するためのセンサーが色材を定着させる位置の近傍に備わるが，給紙経路が長い場合，このセンサーと連続給紙を停止するタイミングを計るためのセンサーとを兼用するこができず，製造コストを押し上げることになる。
【０００６】
本発明はこのような問題を解決するために創作されたものであって，印刷完了時に余分なカット紙を給紙経路に残すことなく連続給紙できるプリンターの製造コストを低減することを目的とする。
【課題を解決するための手段】
【０００７】
（１）上記目的を達成するためのプリンターは，カット紙を搬送しながら前記カット紙に画像を印刷する画像形成部と，カット紙を積載する積載部と，前記積載部から前記画像形成部にカット紙を搬送経路に沿って搬送する搬送部と，ｎ枚（ｎ≧２）のカット紙に画像を印刷するジョブを実行するとき，ｎ−ｋ（ｋ≦１，２，・・・ｎ−１）枚目のカット紙が前記搬送経路の所定位置に到達するまで，先行のカット紙に対する印刷が完了する前に後続のカット紙を前記積載部から前記搬送部によって搬送させ，ｎ−ｋ枚目のカット紙が前記搬送経路の所定位置まで到達すると，先行のカット紙に対する印刷が完了するまで前記搬送部による後続のカット紙の搬送を停止させ，ｎ−ｋ枚目のカット紙の印刷が完了すると，前記搬送部によるｎ枚目までのカット紙の前記画像形成部までの搬送と、前記画像形成部による印刷とを、１枚ごとに実行することによって前記ジョブを完了させる制御部と，を備える。
【０００８】
本発明によると，最終ページより１ページ以上前のカット紙が搬送経路の所定位置に到達すると，最終ページのカット紙より１ページ以上前のカット紙の印刷が完了するまで最終ページの搬送を停止する。すなわち，最終ページより１ページ以上前のカット紙が所定位置に到達した時点で連続給紙を停止する。したがって，積載部から画像形成部までの給紙経路が長くても画像形成部内に設けたセンサーによって連続給紙を停止するタイミングを計ることが可能になる。そして，連続給紙を停止した後にはカット紙１枚ごとに画像形成部への搬送と画像形成部による印刷とを交互に実施して最終ページまでの印刷を完了させる。このため本発明によると，印刷完了時に余分なカット紙を給紙経路に残すことなく連続給紙できるプリンターの製造コストを低減することができる。
【０００９】
（２）上記目的を達成するためのプリンターにおいて，前記所定位置においてカット紙の先端を検出するセンサーを備え，前記制御部は前記所定位置においてｎ−ｋ枚目のカット紙の先端が検出された時点でｎ−ｋ枚目のカット紙の印刷が完了するまで前記搬送部によるカット紙の搬送を停止させてもよい。
すなわち，所定位置に設けたセンサーによってカット紙の先端が検出された時点で連続給紙を停止してもよい。
【００１０】
（３）上記目的を達成するためのプリンターにおいて，前記画像形成部内においてカット紙の先端を検出するセンサーを備え，前記制御部は前記センサーがｎ−１枚目のカット紙の先端を検出してから所定距離だけｎ枚目のカット紙が搬送された時点でｎ−１枚目のカット紙の印刷が完了するまで前記搬送部によるｎ枚目のカット紙の搬送を停止させてもよい。
すなわち，センサーによってカット紙の先端が検出された時からカット紙を所定距離だけ搬送した時点で連続給紙を停止しても良い。この場合，連続給紙を停止した後に色材を定着させる位置までカット紙を搬送する距離を短くすることができるため，最終ページまでの印刷所要時間を短縮することができる。
【００１１】
なお，請求項に記載された各手段の機能は，構成自体で機能が特定されるハードウェア資源，プログラムにより機能が特定されるハードウェア資源，又はそれらの組み合わせにより実現される。また，これら各手段の機能は，各々が物理的に互いに独立したハードウェア資源で実現されるものに限定されない。さらに，本発明は方法としても，コンピュータープログラムとしても，そのプログラムの記録媒体としても成立する。むろん，そのコンピュータプログラムの記録媒体は，磁気記録媒体であってもよいし光磁気記録媒体であってもよいし，今後開発されるいかなる記録媒体であってもよい。
【図面の簡単な説明】
【００１２】
【図１】プリンターを示すブロック図である。
【図２】給紙方法を示すフローチャートである。
【図３】給紙方法を示す状態遷移図である。
【図４】給紙方法を示す状態遷移図である。
【図５】給紙方法を示す状態遷移図である。
【図６】給紙方法を示すフローチャートである。
【図７】給紙方法を示す状態遷移図である。
【発明を実施するための形態】
【００１３】
以下，本発明の実施の形態を添付図面を参照しながら説明する。尚，各図において対応する構成要素には同一の符号が付され，重複する説明は省略される。
１．構成
図１に本発明の一実施例としてのプリンター１を示す。プリンター１は，印刷媒体としてのカット紙に色剤としてのインクを定着させることによって画像を形成するシリアル型インクジェットプリンターである。したがってプリンター１は，副走査方向へのカット紙の搬送と主走査方向への画像の形成とを交互に繰り返す画像形成部１０と，カット紙Ｐを積載する積載部３０と，カット紙Ｐを積載部３０から取り出して画像形成１０に搬送する搬送部２０と，画像形成部１０および搬送部２０を制御する制御部４０とを備えている。
【００１４】
積載部３０は，それぞれにカット紙が積載される第一カセット３１と第二カセット３２とを備えている。第一カセット３１と第二カセット３２のそれぞれは，積み重ねられた複数のカット紙Ｐを保持するための部材で構成される。
【００１５】
搬送部２０は，中継ローラー２１ａ，２１ｂ，給紙ローラー２２，２３，電動機２６，２４，モータードライバー４５，４６，ガイド２５等を備えている。給紙ローラー２２は，第一カセット３１から最上部のカット紙Ｐを１枚ずつ取り出すためのローラーである。給紙ローラー２３は，第二カセット３２から最上部のカット紙Ｐを１枚ずつ取り出すためのローラーである。中継ローラー２１ａ，２１ｂは，第一カセット３１または第二カセット３２から給紙ローラー２２，２３によって取り出されたカット紙Ｐを副走査ローラー１７ｃ，１７ｄが保持できる位置まで搬送するローラーである。電動機２４は給紙ローラー２３を回転させる。モータードライバー４６は電動機２４を駆動する回路である。電動機２６は，給紙ローラー２２と中継ローラー２１ａ，２２と画像形成部１０の副走査ローラー１７ｂ，１７ｄとを同時に回転させる。ガイド２５は中継ローラー２１ａ，２１ｂと給紙ローラー２２，２３によって搬送されるカット紙Ｐを副走査ローラー１７ｃ，１７ｄが保持できる位置まで案内する形態を有する壁である。モータードライバー４５は電動機２６を駆動する回路である。
【００１６】
給紙ローラー２３から中継ローラー２１ａまでの搬送経路はＡ４サイズの長辺よりも短い。このため，給紙ローラー２３は，中継ローラー２１ａによってＡ４サイズのカット紙が長辺方向に搬送されているときには，カット紙Ｐに従動して空転するように構成されている。また中継ローラー２１ａから副走査ローラー１７ｄまでの搬送経路はＡ４サイズの長辺よりも短い。このため，中継ローラー２１ａは，副走査ローラー１７ｂ，１７ｄによってＡ４サイズのカット紙Ｐが長辺方向に搬送されているときには，カット紙Ｐに従動して空転するように構成されている。
【００１７】
画像形成部１０は，記録ヘッド１１，インクタンク１２，キャリッジ１３，ガイド１４，無端ベルト１５，電動機１６，モータードライバー４７，副走査ローラー１７ａ，１７ｂ，１７ｃ，１７ｄ，電動機２６，プラテン１９等で構成される。記録ヘッド１１は，ピエゾ方式やサーマル方式といった周知の機構を備え，第一カセット３１または第二カセット３２から供給されたカット紙Ｐに対してインクをノズルから吐出して定着させる。インクタンク１２は，記録ヘッド１１に供給されるインクを色別に貯蔵する容器である。キャリッジ１３は，インクタンク１２および記録ヘッド１１を搭載して往復移動する支持部材である。ガイド１４は，キャリッジ１３の移動を主走査方向に案内する棒状部材である。無端ベルト１５は，図示しないプーリーに架け渡され，キャリッジ１３を牽引する。電動機１６は無端ベルト１５が架け渡されているプーリーを回転させる。モータードライバー４７は電動機１６を駆動する回路である。副走査ローラー１７ａ，１７ｂ，１７ｃ，１７ｄは第一カセット３１または第二カセット３２から取り出され中継ローラー２１ａ，２１ｂによって搬送されたカット紙Ｐを副走査方向に搬送する。プラテン１９は，記録ヘッド１１の直下に設けられ，カット紙Ｐを記録ヘッド１１に対して位置決めする棒状部材である。
【００１８】
制御部４０は，図示しないＣＰＵ（Central Processing Unit），メインメモリ，不揮発性メモリ，インターフェース回路等で構成される。不揮発性メモリには画像形成部１０および搬送部２０を制御するための制御プログラムが記憶されている。ＣＰＵはメインメモリにロードされる制御プログラムを実行するプロセッサである。
【００１９】
紙検出センサー１８は，プラテン１９の上流側の近傍に設けられた光センサーである。紙検出センサー１８は図示しない発光部と受光部とを備え，発光部から受光部までの光路をカット紙Ｐが遮ることにより，カット紙の先端が紙検出センサー１８の光路に到達したことを検出する。給紙ローラー２３から紙検出センサー１８までの搬送経路の長さはＡ４の長辺よりも長く，Ａ４の長辺の２倍よりも短い。
【００２０】
２．給紙方法
次に第二カセット３２に積載された複数のカット紙に連続的に画像を形成する印刷ジョブを実行する際の給紙方法について図２に示すフローチャートと図３から図５に示す状態遷移図に基づいて説明する。なお，図３，４，５は３枚のカット紙Ｐ（１），Ｐ（２），Ｐ（３）に画像を形成する印刷ジョブが進行する過程を示している。
【００２１】
制御部４０は印刷ジョブをＰＣ等から取得すると，印刷ジョブから印刷枚数（ｎ）を取得する（Ｓ１００）。
次に制御部４０は給紙ローラー２３および中継ローラー２１ａを回転させて１枚目のカット紙を紙検出センサー１８まで搬送する（Ｓ１０２，Ｓ１０４）。具体的には，制御部４０は，紙検出センサー１８の出力がカット紙の先端の到達を示すまで電動機２４，２２によって給紙ローラー２３および中継ローラー２１ａを所定角度ずつ回転させる。これにより，図３Ａに示すように第二カセット３２の最上部から１枚目のカット紙Ｐ（１）が給紙ローラー２３によって取り出され，図３Ｂに示すように中継ローラー２３によって中継されたカット紙Ｐ（１）の先端が図３Ｃに示すように紙検出センサー１８の光路に到達する。
【００２２】
紙検出センサー１８までカット紙の先端が到達すると，制御部４０は紙検出センサー１８によって検出されたカット紙がｎ−１枚目であるか，すなわち最終ページの直前ページの画像が印刷されるカット紙であるかを判定する（Ｓ１０６）。給紙ローラー２３から紙検出センサー１８までの搬送経路の長さはＡ４の長辺よりも長く，Ａ４の長辺の２倍よりも短いため，ｎ−１枚目のカット紙の先端が紙検出センサー１８に到達した時点において，給紙ローラー２３はｎ枚目のカット紙を取り出していることになる。すなわち，紙検出センサー１８によって検出されたカット紙がｎ−１枚目であるか判定することは，最終ページのカット紙を給紙ローラー２３が搬送し始めているかを判定していることになる。
紙検出センサー１８がカット紙の先端を検出する度に，制御部４０は画像形成部１０による１ページ分の画像形成処理を開始する。すなわち制御部４０は，印刷ジョブに基づいて，電動機２６を駆動して紙検出センサー１８の光路を基準位置としてカット紙を副走査方向へ搬送し，電動機１６を駆動して印刷ヘッド１１を主走査方向へ搬送し，印刷ヘッド１１を駆動してノズルからインク滴を吐出させる画像形成処理を開始する。画像形成処理は図３Ｂ，図４Ａ，図５Ｂに示すようにカット紙の先端が紙検出センサー１８の位置に到達する度に起動し，図５Ｄに示すようにｎページ分の処理が完了するまでカット紙毎に実行される。
【００２３】
紙検出センサー１８によって先端が検出されたカット紙がｎ−１枚目でない場合，ｎ−１枚目のカット紙の先端が検出されるまで，制御部４０は副走査ローラー１７ｄ，１７ｂと同時に中継ローラー２１ａと給紙ローラー２３を回転させる（Ｓ１０７，Ｓ１０８，Ｓ１０６）。これにより，画像形成部１０によって先行のカット紙に画像が形成されている間，後続のカット紙を先行のカット紙に追従させる。すなわち，給紙部２０は，図３Ｃ，図３Ｄ，図３Ｅに示すように先行のカット紙Ｐ（１）に対する印刷が完了する前に後続のカット紙Ｐ（２）を第二カセット３２から取り出して画像形成部１０に向けて搬送する。このとき，画像形成部１０の副走査ローラー１７ｄ，１７ｂの駆動は主走査方向への画像形成と交互に実行されるため，給紙部２０によるカット紙の搬送は間欠的になる。また，電動機２６によって駆動される中継ローラー２１ａの周速度は副走査ローラー１７ｄ，１７ｂの周速度より遅く，電動機２３によって駆動される給紙ローラー２３の周速度は中継ローラー２１ａの周速度より遅い。このため図３Ｃ，図３Ｄ，図３Ｅに示すように先行のカット紙Ｐ（１）と後続のカット紙Ｐ（２）の間隔は徐々に広がる。具体的には制御部４０はモータードライバー４５，４６に回転角度を指定して電動機２４，２６を所定角度ずつ回転させる（Ｓ１０７）。次に制御部４０はカット紙の先端が紙検出センサー１８に到達したか判定する（Ｓ１０８）。カット紙の先端が紙検出センサー１８に到達すると，制御部４０は到達したカット紙がｎ−１枚目であるか判定する（Ｓ１０６）。そしてｎ−１枚目のカット紙の先端が紙検出センサー１８に到達するまで，制御部４０はモータードライバー４５，４６に回転角度を指定しながら電動機２４，２６を所定角度ずつ回転させる（Ｓ１０７）。
【００２４】
ｎ−１枚目のカット紙の先端が紙検出センサー１８に到達すると，制御部４０はｎ−１枚目のカット紙が下流側の副走査ローラー１７ｂによって排出されるまで給紙ローラー２３を停止させる（Ｓ１１０）。具体的には，図４Ａに示すように最終ページの直前ページのカット紙Ｐ（２）の先端が紙検出センサー１８の光路に到達すると，図４Ｃに示すように最終ページの直前ページのカット紙Ｐ（２）に対する画像の形成が完了するまで，制御部４０は電動機２４を停止させる。これにより最終ページのカット紙Ｐ（３）は図４Ｂに示すように先端が第二第二カセット３２と中継ローラー２１ａ，２１ｂとの間に位置する状態に留まる。
【００２５】
ｎ−１枚目のカット紙が下流側の副走査ローラー１７ｂによって排紙されると，制御部４０は給紙ローラー２３，中継ローラー２１ａを回転させてｎ枚目のカット紙を紙検出センサー１８まで搬送する（Ｓ１１２，Ｓ１１４）。具体的には，図５Ａ，図５Ｂに示すように制御部４０は電動機２６，２４を駆動して給紙ローラー２３，中継ローラー２１ａを回転させて先端が紙検出センサー１８の光路に到達するまでカット紙Ｐ（３）を搬送する。
【００２６】
ｎ枚目のカット紙が紙検出センサー１８に到達すると，制御部４０は給紙ローラー２３を停止させて給紙処理を終了する（Ｓ１１４）。これにより，図５Ｃ，図５Ｄに示すようにｎ＋１枚目のカット紙Ｐ（４）が第二カセット３２から取り出されることなく，最終ページのカット紙Ｐ（３）が中継ローラー２１ａと副走査ローラー１７ｄ、１７ｂとによって搬送されてカット紙Ｐ（３）に対する印刷が完了し，その結果，印刷ジョブの実行が完了する。
【００２７】
以上説明した実施例によると，紙検出センサー１８の光路においてｎ−１枚目のカット紙の先端が検出されるとｎ−１枚目のカット紙の印刷が完了するまで搬送部２０によるカット紙の連続給紙を停止する。このため，第二カセット３２からインクの定着位置であるプラテン１９の近傍経路に設けられた紙検出センサー１８までの搬送経路がＡ４サイズの長辺よりも長くても，プラテン１９の近傍に設けた紙検出センサー１８によって，連続給紙を停止するタイミングを計ることができる。したがって，１つの紙検出センサー１８によって，副走査ローラー１７ｄ，１７ｂが正確にカット紙を位置決めするための基準を取得しつつ，連続給紙を停止するタイミングを計ることができる。すなわち，本実施例によると，画像形成部１０において副走査ローラー１７ｄ，１７ｂによって正確にカット紙を位置決めするための基準を取得するためのセンサーとは別に，連続給紙を停止するタイミングを計るためのセンサーを必要としないため，プリンター１の構成を簡素化して製造コストを低減できる。そして本実施例によると，最終ページの直前ページのカット紙の先端がプラテン１９の近傍に搬送されるまでカット紙が連続給紙されるため，印刷時間を短縮することができる。そして，連続給紙の停止後は、最終ページの直前ページの印刷が完了してから最終ページのカット紙が１枚だけ給紙されるため，印刷完了時に余分なカット紙が給紙経路に残ることがない。
【００２８】
３．他の実施形態
尚，本発明の技術的範囲は，上述した実施の形態に限定されるものではなく，本発明の要旨を逸脱しない範囲内において種々変更を加え得ることは勿論である。
例えば上記実施例では紙検出センサー１８によって最終ページの直前ページのカット紙の先端を検出した時点で連続給紙を停止するが，紙検出センサー１８によって最終ページの直前ページのカット紙の先端を検出した時から所定距離だけ搬送してから連続給紙を停止しても良い。例えば図６に示すようにｎ−１枚目のカット紙の先端が紙検出センサー１８に到達した後に（Ｓ１０６において"真"判定された後に），ｎ枚目のカット紙の先端が中継ローラー２１ａに到達するまで副走査ローラー１７ｄ，１７ｂと同時に給紙ローラー２３を回転させる（Ｓ１０９１，Ｓ１０９２）。これにより，図７Ａに示すようにｎ−１枚目のカット紙Ｐ（２）の先端が紙検出センサー１８に到達しても、給紙ローラー２３による連続給紙は，図７Ｃに示すようにｎ枚目のカット紙Ｐ（３）の先端が中継ローラー２１ａに到達するまで継続する。すなわち，給紙ローラー２３と同時に駆動される副走査ローラー１７ｄ，１７ｂによってｎ−１枚目のカット紙が紙検出センサー１８よりも下流側に所定距離だけ搬送されるまで，連続給紙を継続する。この間，図７Ｂに示すように副走査ローラー１７ｄ，１７ｂを回転させながらｎ−１枚目のカット紙Ｐ（２）に対する印刷が実行されているため，給紙ローラー２３によるｎ枚目のカット紙Ｐ（３）の搬送は間欠的になる。そして，ｎ枚目のカット紙Ｐ（３）の先端が中継ローラー２１ａに到達すると，上記実施例と同様にｎ−１枚目のカット紙Ｐ（２）が副走査ローラー１７ｂによって排出されるまで給紙ローラー２３を停止させる（Ｓ１１０）。その後，上記実施例と同様に，図７Ｄ，図７Ｅ，図７Ｆに示すようにｎ枚目のカット紙Ｐ（３）に対する印刷が実行され，印刷ジョブが完了する。これにより，ｎ−１枚目のカット紙Ｐ（２）が副走査ローラー１７ｂによって排出されてからｎ枚目のカット紙Ｐ（３）をプラテン１９まで搬送する距離が上記実施例に比べて短くなるため，印刷時間を短縮することができる。
【００２９】
また例えば，上記実施例では最終ページの直前ページのカット紙が所定位置に到達すると連続給紙を停止する例について説明したが，給紙ローラー２３からプラテン１９までの搬送経路が長く，給紙ローラー２３からプラテン１９の近傍に設けられる紙検出センサー１９までの搬送経路も長い場合には，ｎ（ｎ≧４）枚のカット紙に印刷するジョブにおいてｎ−ｋ（２≦ｋ＜ｎ−２）枚目のカット紙が紙検出センサー１９を基準とする所定位置に到達した時点で連続給紙を停止しても良い。例えば，給紙ローラー２３からプラテン１９の近傍に設けられる紙検出センサー１９までの搬送経路がＡ４の長辺の２倍より長く３倍よりも短い場合には，ｎ−２枚目のカット紙の先端を紙検出センサー１９が検出した時点で連続給紙を停止しても良い。
【００３０】
また例えば，上記実施例ではシリアル型インクジェットプリンターに本発明を適用する例について説明したが，本発明はラインプリンターにも，トナーを色剤とするページプリンターにも適用することもできる。
【００３１】
また例えば，上記実施例では紙検出センサーが画像形成部に設けられている例を説明したが，紙検出センサーが搬送部に設けられていても良い。搬送部に紙検出センサーを設ける場合であっても，給紙経路が合流する位置よりも下流側に紙検出センサーを設けることによって紙検出のためのセンサー数を１つに抑えることができる。また紙検出センサーは光センサー等の非接触型に限らず接触型であっても良い。
【００３２】
また例えば、上記実施例では給紙ローラー２３と副走査ローラー１７ｄとの間に設けられる中継ローラー２１ａを常に副走査ローラー１７ｄと同時に駆動する例を説明したが、電動機２４によって中継ローラー２１ａと給紙ローラー２３とを常に同時に駆動しても良い。
【符号の説明】
【００３３】
１…プリンター，１０…画像形成部，１１…記録ヘッド，１２…インクタンク，１３…キャリッジ，１４…ガイド，１５…無端ベルト，１６…電動機，１７ａ…副走査ローラー，１７ｂ…副走査ローラー，１７ｃ…副走査ローラー，１７ｄ…副走査ローラー，１８…紙検出センサー，１９…プラテン，２０…搬送部，２１ａ…中継ローラー，２１ｂ…給紙ローラー２２…給紙ローラー，２３…給紙ローラー，２４…電動機，２５…ガイド，３０…積載部，３１…第一カセット，３２…第二カセット，３２…第二カセット，４０…制御部，４５…モータードライバー，４６…モータードライバー，４７…モータードライバー
【図１】
2012148842.tif 000003
【図２】
2012148842.tif 000004
【図３】
2012148842.tif 000005
【図４】
2012148842.tif 000006
【図５】
2012148842.tif 000007
【図６】
2012148842.tif 000008
【図７】
2012148842.tif 000009